【事件の表示】
　特願２００１−２５８０８２「演出画像の表示方法、演出画像の表示用プログラム、コンピュータ読みとり可能な記録媒体、及び演出画像の表示装置」拒絶査定不服審判事件〔平成１５年　３月　５日出願公開、特開２００３−　６６９３９〕について、次のとおり審決する。
【結　論】
　本件審判の請求は、成り立たない。
【理　由】
第１　手続の経緯
　本件は、平成１３年８月２８日にされた特許出願（特願２００１−２５８０８２号。以下「本件出願」という。）につき、拒絶査定が平成１５年３月２６日付けでされ、同年４月１日に発送されたところ、拒絶査定に対する審判が同年４月３０日に請求されるとともに同年５月２７日に手続補正書が提出されたものである。
　　
第２　平成１５年５月２７日付けの手続補正についての補正却下の決定
　１　補正却下の決定の結論
　平成１５年５月２７日付けの手続補正を却下する。
　　
　２　補正却下の決定の理由
　（１）平成１５年５月２７日付けの手続補正書による手続補正（以下「本件補正」という。）の内容
　　本件補正は、本件出願明細書の特許請求の範囲の請求項１を以下のとおり補正することを含むものである。
　　ア　本件補正前の特許請求の範囲の請求項１
「【請求項１】　表示手段に演出画像を表示する処理を実現するための演出データをデータ記憶手段内からランダムアクセスメモリ内に読み込むステップと、
　前記ランダムアクセスメモリ内の前記演出データを使用して前記演出画像を表示手段に表示するステップと、
　前記ランダムアクセスメモリ内の前記演出データに対応する前記データ記憶手段内のデータを、時間の経過とともに繰り返し前記ランダムアクセスメモリ内へ転送して、前記ランダムアクセスメモリ内の前記演出データを前記読み込み時の状態に維持するデータリフレッシュステップとを有することを特徴とする演出画像の表示方法。」
　　　　　　
　　イ　本件補正後の特許請求の範囲の請求項１
「【請求項１】　表示手段に演出画像を表示する処理を実現するための演出データをデータ記憶手段内からランダムアクセスメモリ内に読み込むステップと、
　前記ランダムアクセスメモリ内の前記演出データを使用して前記演出画像を表示手段に表示するステップと、
　前記ランダムアクセスメモリ内の前記演出データに対応する前記データ記憶手段内のデータを、一部ずつの複数回の転送で全体の転送が完了するような状態を繰り返すようにして、前記ランダムアクセスメモリ内へ転送し、前記ランダムアクセスメモリ内の前記演出データを前記読み込み時の状態に維持するデータリフレッシュステップとを有することを特徴とする演出画像の表示方法。」
　　
　（２）　本件補正の適否について
　本件補正は、本件補正前の請求項１に係る発明について「時間の経過とともに繰り返し」を「一部ずつの複数回の転送で全体の転送が完了するような状態を繰り返すようにして、」と減縮するものであって、特許法第１７条の２第４項第２号の特許請求の範囲の限定的減縮を目的とするものに該当する。さらに、本件補正前の請求項１に係る発明について「前記ランダムアクセスメモリ内へ転送して」の記載を「前記ランダムアクセスメモリ内へ転送し」とするものであって、特許法第１７条の２第４項第４号の明りょうでない記載の釈明をするものに該当する
　本件補正後の請求項１に係る発明（以下「本願補正発明」という。）が特許出願の際独立して特許を受けることができるものであるかについて以下に検討する。
　
　（ア）引用刊行物記載の発明
　原査定の拒絶の理由に引用された特開平５−３４１７５４号公報（以下、「引用刊行物」という。）には、
（ア−１）「【０００１】【産業上の利用分野】本発明はカラー・パレットを備えたキャラクタ表示装置に関する。・・・【０００３】【発明が解決しようとする課題】しかし、従来の技術では、カラー・パレット３０４としてＲＡＭ（Ｒａｎｄｏｍ　Ａｃｃｅｓｓ　Ｍｅｍｏｒｙ）等の読みだし／書き込み可能な記憶回路が使われていたため、パレットの色変更を行う際に電圧サージを受け、カラー・パレット３０４に本来書き込むべきデータと違うものが書き込まれてしまったり、既にカラー・パレット３０４に登録されているデータ自体が電圧サージにより化け、表示すべきキャラクタの色が異常になる危険性があり、正しい表示が行われない場合が発生するという問題があった。【０００４】そこで、本発明はこのような従来技術の問題点を解決するためのもので、カラー・パレットを備えたキャラクタ表示装置において、カラー・パレットへのデータ書き込み不良等によるキャラクタの誤表示を抑えることを目的とする。」こと、
（ア−２）「【０００７】【実施例】以下に本発明の一実施例を図面をもとに説明する。【０００８】図１は、本発明によるキャラクタ表示装置の具体的な実施例である。１０１はメイン・コントローラであり、キャラクタ指定データと色指定データを出力する。前記キャラクタ指定データと前記色指定データは表示コントローラ１０２に取り込まれ、データ・レジスタ１０２ａに記憶される。前記表示コントローラ１０２は、１垂直走査期間毎に前記データ・レジスタ１０２ａの色指定データを読みだし、それに従ってパレット・データ記憶回路１０３とカラー・パレット１０４にアドレスを出力し、前記パレット・データ記憶回路１０３から１つのパレット・データ群（当審注：「データ郡」等の「郡」は「群」の誤記と認め、対応した。以下同様とする。）を前記カラー・パレット１０４にロードする。又、前記表示コントローラ１０２から、前記データ・レジスタ１０２ａのキャラクタ指定データに従ってキャラクタ・データ記憶回路１０５にアドレスが出力され、前記カラー・パレット１０４にキャラクタ・データが出力される。前記カラー・パレット１０４は前記キャラクタ・データに従いパレット・データを読み出し、色付きキャラクタ・データにして前記表示コントローラ１０２に出力する。前記表示コントローラ１０２は、前記色付きキャラクタ・データを表示装置１０６に合う形にデータ変換して表示データとして出力し、前記表示装置１０６はキャラクタを表示する。」こと、
（ア−３）「【０００９】図２はパレット・データ記憶装置１０３とカラー・パレット１０４の関係を示したもので、キャラクタの色を変更する場合について説明する。例えば、前記カラー・パレット１０４が０番地〜７番地の８個のパレットで構成されており、前記パレット・データ記憶回路１０３には８個のデータを１つの群としたパレット・データ群が第０群〜第３群の４群登録されていることとする。まず、第０群のパレット・データ群が前記カラー・パレット１０４に読み出されており、その色は０番地が（ア）、１番地が（イ）、以下７番地まで（ウ），（エ），（オ），（カ），（キ），（ク）となっており、表示画面が０番地の色（ア）と５番地の色（カ）でできているとする（図２（ａ））。次に、メイン・コントローラ１０１からの色指定により第１群のパレット・データが読み出され、５番地の色が（ケ）に変わり表示画面の色も（カ）から（ケ）に変わる（図２（ｂ））。この様にしてカラー・パレット１０４のデータを変更し、表示キャラクタの色を変更する。【００１０】つまり、１垂直走査期間毎に色指定データはデータ・レジスタ１０２ａから読み出され、カラー・パレット１０４のデータは書き換えられる。従って、メイン・コントローラ１０１からの色指定データの入力が有る無いにかかわらず、前記カラー・パレット１０４のデータは１垂直走査期間毎にリフレッシュされる。」こと、
（ア−４）「【００１２】【発明の効果】以上に述べた様に本発明によるキャラクタ表示装置を用いることにより、カラー・パレットのデータが一定期間毎にリフレッシュされるため、外来からのノイズによりカラー・パレットのデータが化け、誤表示を起こしても、カラー・パレットのデータは次の書き込みで復帰され、瞬時に正常な表示が得られるという効果がある。又、カラー・パレットのデータの変更が、パレット・データ記憶回路に対するパレット・データ群の指定だけで行えるので、メイン・コントローラの作業負荷を軽くする効果がある。」ことが記載されている。
（ア−５）また、上記（ア−１）を参照すると、上記（ア−１）には、「【０００３】・・・従来の技術では、カラー・パレット３０４としてＲＡＭ（Ｒａｎｄｏｍ　Ａｃｃｅｓｓ　Ｍｅｍｏｒｙ）等の読みだし／書き込み可能な記憶回路が使われていた」こと、及び「【０００４】そこで、本発明はこのような従来技術の問題点を解決するためのもので、カラー・パレットを備えたキャラクタ表示装置において、カラー・パレットへのデータ書き込み不良等によるキャラクタの誤表示を抑えることを目的とする。」ことが記載されており、さらに、上記（ア−２）には「前記表示コントローラ１０２は、・・・パレット・データ記憶回路１０３から１つのパレット・データ群を前記カラー・パレット１０４にロードする。・・・前記カラー・パレット１０４は前記キャラクタ・データに従いパレット・データを読み出し、色付きキャラクタ・データにして前記表示コントローラ１０２に出力する」ことが記載されていることから、上記（ア−２）に記載の「カラーパレット１０４」も従来の「カラーパレット３０４」と同様に「ＲＡＭ（Ｒａｎｄｏｍ　Ａｃｃｅｓｓ　Ｍｅｍｏｒｙ）等の読みだし／書き込み可能な記憶回路」で構成されることになる。
　上記（ア−１）〜（ア−５）を参照すると、上記引用刊行物には、
「表示コントローラ１０２のデータ・レジスタ１０２ａから１垂直走査期間毎に読みだされる色指定データにより、表示装置１０６に色付きのキャラクタを表示するために用いられる１つのパレット・データ群のデータをパレット・データ記憶回路１０３からＲＡＭ（Ｒａｎｄｏｍ　Ａｃｃｅｓｓ　Ｍｅｍｏｒｙ）等の記憶回路で構成されるカラー・パレット１０４にロードし、
　キャラクタ・データ記憶回路１０５から出力されるキャラクタ・データに従いカラー・パレット１０４のパレット・データ群のデータを読み出し、色付きキャラクタ・データにして出力し、出力される色付きキャラクタ・データを表示データに変換して表示装置１０６にキャラクタを表示し、
　メイン・コントローラ１０１からの色指定データの入力が表示コントローラ１０２に有る無いにかかわらず、カラー・パレット１０４の１つのパレット・データ群のデータが１垂直走査期間毎にリフレッシュされることを特徴とするキャラクタ表示装置のキャラクタの表示方法。」の発明（以下「引用発明」という。）が記載されている。
　　　　　　　　　　　　　　
　（イ）本願補正発明についての対比・判断
　（イ−１）　本願補正発明と引用発明とを対比する。
　引用発明の「表示装置１０６」、「パレット・データ記憶回路１０３」、「ＲＡＭ（Ｒａｎｄｏｍ　Ａｃｃｅｓｓ　Ｍｅｍｏｒｙ）等の記憶回路で構成されるカラー・パレット１０４」、「ロード」がそれぞれ本願補正発明の「表示手段」、「データ記憶手段」、「ランダムアクセスメモリ」、「読み込む」に相当する。
　また、引用発明の「キャラクタ」も本願補正発明の「演出画像」もともに表示のための「表示画像」で共通し、さらに、引用発明の「カラーパレット１０４の１つのパレット・データ群のデータ」も本願補正発明の「演出データ」もともに「表示画像用データ」で共通するものである。
　そして、引用発明の「表示装置１０６に色付きのキャラクタを表示するために用いられる１つのパレット・データ群のデータをパレット・データ記憶回路１０３からＲＡＭ（Ｒａｎｄｏｍ　Ａｃｃｅｓｓ　Ｍｅｍｏｒｙ）等の記憶回路で構成されるカラー・パレット１０４にロード」することは、本願補正発明の「表示手段に演出画像を表示する処理を実現するための演出データをデータ記憶手段内からランダムアクセスメモリ内に読み込むステップ」と比較すると、「表示手段に表示画像を表示する処理を実現するための表示画像用データをデータ記憶手段内からランダムアクセスメモリ内に読み込むステップ」で共通するものであり、さらに、引用発明の「キャラクタ・データ記憶回路１０５から出力されるキャラクタ・データに従いカラー・パレット１０４のパレット・データ群のデータを読み出し、色付きキャラクタ・データにして出力し、出力される色付きキャラクタ・データを表示データに変換して表示装置１０６にキャラクタを表示」することは本願補正発明の「ランダムアクセスメモリ内の前記演出データを使用して前記演出画像を表示手段に表示するステップ」と比較すると、「ランダムアクセスメモリ内の前記表示画像用データを使用して前記表示画像を表示手段に表示するステップ」で共通するものである。
　そしてまた、引用発明のメイン・コントローラ１０１からの色指定データの入力が表示コントローラ１０２に無いときにカラー・パレット１０４の１つのパレット・データ群のデータが１垂直走査期間毎にリフレッシュされることは、カラー・パレット１０４内のパレット・データ群のデータに対応するパレット・データ記憶回路１０３内のデータを、１垂直走査期間毎にカラー・パレット１０４に転送し、カラー・パレット１０４内のパレット・データ群のデータをロード時の状態に維持するデータリフレッシュであるから、本願補正発明の「ランダムアクセスメモリ内の前記演出データに対応する前記データ記憶手段内のデータを、一部ずつの複数回の転送で全体の転送が完了するような状態を繰り返すようにして、前記ランダムアクセスメモリ内へ転送し、前記ランダムアクセスメモリ内の前記演出データを前記読み込み時の状態に維持するデータリフレッシュステップ」の構成と比較すると、「ランダムアクセスメモリ内の表示画像用データに対応するデータ記憶手段内のデータを、前記ランダムアクセスメモリ内へ転送し、前記ランダムアクセスメモリ内の前記表示画像用データを前記読み込み時の状態に維持するデータリフレッシュステップ」で共通するものである。
　そうすると、本願補正発明と引用発明とは、
　「表示手段に表示画像を表示する処理を実現するための表示画像用データをデータ記憶手段内からランダムアクセスメモリ内に読み込むステップと、
　前記ランダムアクセスメモリ内の前記表示画像用データを使用して前記表示画像を表示手段に表示するステップと、
　前記ランダムアクセスメモリ内の前記表示画像用データに対応する前記データ記憶手段内のデータを、前記ランダムアクセスメモリ内へ転送し、前記ランダムアクセスメモリ内の前記表示画像用データを前記読み込み時の状態に維持するデータリフレッシュステップとを有することを特徴とする表示画像の表示方法。」である点で一致し、次の相違点（あ）及び（い）で相違している。
　　　　　
・相違点（あ）
　本願補正発明では表示画像が「演出画像」であり、表示画像用データが「演出データ」であるのに対して、引用発明では表示画像が「キャラクタ」であり、表示画像用データが「カラー・パレット１０４内のパレット・データ群のデータ」である点。
　　　　
・相違点（い）
　データ記憶手段内のデータを、ランダムアクセスメモリ内へ転送し、前記ランダムアクセスメモリ内の表示画像用データを読み込み時の状態に維持するデータリフレッシュステップで、本願補正発明では「データ記憶手段内のデータを、一部ずつの複数回の転送で全体の転送が完了するような状態を繰り返すようにして、ランダムアクセスメモリ内へ転送」する構成を備えているのに対して、引用発明ではそのような構成を備えていない点。
　　　
　（イ−２）そこで、上記相違点（あ）及び相違点（い）について判断する。
・相違点（あ）について
　表示画像用データとしての演出データを用いて表示画像である演出画像を表示することはパチンコやゲーム機器の遊技機等で周知であることから、引用発明の「カラー・パレット１０４内のパレット・データ群のデータ」を用いて「キャラクタ」を表示する代わりに「演出データ」を用いて「演出画像」を表示することは当業者が容易になし得るものである。
　　　　
・相違点（い）について
　ＲＯＭのデータをランダムアクセスメモリ内に転送する際、データ転送に要する時間を短くするために、処理周期毎にカウントアップするカウンタのカウント値をアドレスとしてＲＯＭ内のアドレスに対応するデータをランダムアクセスメモリの対応するアドレスに逐次転送し、全データを転送したら、再び最初のアドレスから繰り返してＲＯＭ内のデータをランダムアクセスメモリに転送するデータ設定方式は周知（例えば、特開昭６０−１８１８６１号公報〔２頁右上欄１４行〜右下欄６行の記載〕参照）であり、引用発明の「キャラクタ表示装置のキャラクタの表示方法」も上記周知の技術事項の「データ設定方式」もともにデータ記憶手段のデータをランダムアクセスメモリに繰り返して転送し、ランダムアクセスメモリ内のデータをデータリフレッシュさせるデータ処理で共通するものであることから、引用発明においてもＲＡＭ（Ｒａｎｄｏｍ　Ａｃｃｅｓｓ　Ｍｅｍｏｒｙ）等の記憶回路で構成されるカラー・パレット１０４の１つのパレット・データ群のデータを処理周期である１垂直走査期間毎にリフレッシュする際、処理周期である１垂直走査期間毎にパレット・データ記憶回路１０３内のアドレスに対応するパレット・データをカラー・パレット１０４の対応するアドレスに逐次転送し、全パレット・データを転送したら、再び最初のアドレスから繰り返してパレット・データ記憶回路１０３内のデータをカラー・パレット１０４に転送すること、すなわち、データ記憶手段内のデータを、一部ずつの複数回の転送で全体の転送が完了するような状態を繰り返すようにして、ランダムアクセスメモリ内へ転送することは当業者が容易になし得るものである。
　そして、本願補正発明によってもたらされる効果は、上記引用発明及び周知の技術事項から予測される範囲内のものであって、格別のものではない。
　したがって、本願補正発明は、引用発明及び周知の技術事項に基づき当業者が容易に発明をすることができたものであるから、特許法第２９条第２項の規定により特許出願の際独立して特許を受けることができないものである。
　　　　　　　　　　　
　（３）　補正却下の決定についてのむすび
　以上の通りであるから、本件補正は、平成１５年法律第４７号による改正前の特許法第１７条の２第５項において準用する同法第１２６条第４項の規定に違反するものであり、同法第１５９条第１項において読み替えて準用する同法第５３条の規定により却下しなければならないものである。
　　　　　　　
第３　本件出願に係る発明
　平成１５年５月２７日付け手続補正は上記のとおり却下したので、本件出願の請求項１〜１４に係る発明は、本件補正前の、出願当初の明細書及び図面の記載からみて、その特許請求の範囲の請求項１〜１４に記載されたとおりのものであって、その請求項１に係る発明（以下、「本願発明」という。）は、上記のとおりのものと認める。
　　　　　　　　　　　　
第４　引用刊行物に記載された発明
　原査定の拒絶の理由に引用された引用刊行物の記載事項は上記のとおりである。
　　　　　　　
第５　対比・判断
　本願発明を限定したものである本願補正発明が、前述のとおり、上記引用発明及び周知の技術事項に基づき当業者が容易に発明をすることができたものであるから、本願発明も、同様の理由により引用発明及び周知の技術事項に基づき当業者が容易に発明をすることができたものである。
　　　　　　　　
第６　むすび
　以上のとおりであるから、本願発明は特許法第２９条第２項の規定により特許を受けることができないものであるので、その余の請求項に係る発明について検討するまでもなく、本件出願は、拒絶をすべきものである。
　
  よって、結論のとおり審決する。